(57)【要約】      （修正有）【課題】専用のハードウェア部品を採用しなくても、プラガブル型の宅側装置の電源断を局側装置に通知する宅側装置、通信装置、ＰＯＮシステム及び電源断の通知方法を提供する。【解決手段】宅側装置２Ａは、局側装置ＯＬＴとともにＰＯＮシステムを構成するプラガブル型の宅側装置であって、光トランシーバ２１と、光トランシーバに接続されるＰＯＮ処理部２２と、ＰＯＮ処理部２２に接続されるＰＨＹ処理部２３と、ＰＨＹ処理部２３に接続される、通信装置３の物理ポートに接続すると当該通信装置３の電源部から電力が供給される端子モジュール２４と、を備える。ＰＯＮ処理部２２は、ＰＨＹ処理部２３から入力される、通信装置３の電源断を通知するための制御フレームである第１フレームを、宅側装置の電源断を通知するための制御フレームである第２フレームに変換し、変換した第２フレームを光トランシーバに出力する。【選択図】図２
2022002375.tif 000002
【特許請求の範囲】
【請求項１】
局側装置とともにＰＯＮシステムを構成するプラガブル型の宅側装置であって、
光トランシーバと、
前記光トランシーバに接続されるＰＯＮ処理部と、
前記ＰＯＮ処理部に接続されるＰＨＹ処理部と、
前記ＰＨＹ処理部に接続される端子モジュールであって、通信装置の物理ポートに接続すると当該通信装置の電源部から電力が供給される端子モジュールと、を備え、
前記ＰＯＮ処理部は、
前記ＰＨＹ処理部から入力される下記の第１フレームを下記の第２フレームに変換し、変換した前記第２フレームを前記光トランシーバに出力する宅側装置。
第１フレーム：通信装置の電源断を通知するための制御フレーム
第２フレーム：宅側装置の電源断を通知するための制御フレーム
【請求項２】
前記第１フレームは、
前記通信装置と前記宅側装置の間で使用される独自の制御フレームであり、
前記第２フレームは、
拡張ＯＡＭフレームであり、
前記ＰＯＮ処理部が実行するフレーム変換処理は、
前記第１フレームの入力に応じて前記第２フレームを独自に生成する処理である請求項１に記載の宅側装置。
【請求項３】
前記第１及び第２フレームは、
拡張ＯＡＭフレームであり、
前記ＰＯＮ処理部が実行するフレーム変換処理は、
前記第１メッセージの送信元アドレスを自装置のアドレス情報に書き換える処理である請求項１に記載の宅側装置。
【請求項４】
局側装置とともにＰＯＮシステムを構成するプラガブル型の宅側装置と通信する通信装置であって、
前記宅側装置を接続可能な１又は複数の物理ポートと、
接続済みの前記宅側装置を管理する管理制御部と、
前記宅側装置及び前記管理制御部が送受信する通信フレームを中継する中継処理部と、
自装置内の各部と前記宅側装置に電力を供給し、電源断後に所定時間だけ電力供給の継続が可能な電源部と、を備え、
前記管理制御部は、
自装置の電源断を検出した場合に、自装置の電源断を通知するための制御フレームを生成して前記宅側装置に送信する通信装置。
【請求項５】
局側装置とともにＰＯＮシステムを構成するプラガブル型の宅側装置と通信する通信装置であって、
前記宅側装置を接続可能な１又は複数の物理ポートと、
接続済みの前記宅側装置を管理する管理制御部と、
前記宅側装置及び前記管理制御部が送受信する通信フレームを中継する中継処理部と、
自装置内の各部と前記宅側装置に電力を供給する電源部と、を備え、
前記管理制御部は、
自装置の電源スイッチのオフ操作を検出した場合に、自装置の電源断を通知するための制御フレームを生成して前記宅側装置に送信する通信装置。
【請求項６】
前記管理制御部は、
前記制御フレームを前記宅側装置の電源断を通知するための制御フレームに変換可能な前記宅側装置に対してのみ、前記制御フレームを送信する請求項４又は請求項５に記載の通信装置。
【請求項７】
局側装置と、
前記局側装置とＰＯＮ回線により接続されるプラガブル型の宅側装置と、
前記宅側装置を接続可能な１又は複数の物理ポートを有する通信装置と、を備えるＰＯＮシステムであって、
前記宅側装置に電力供給する前記通信装置が、自装置の電源断又は電源スイッチのオフ操作を検出した場合に、下記の第１フレームを生成して前記宅側装置に送信し、
前記通信装置から前記第１フレームを受信した前記宅側装置が、受信した前記第１フレームを下記の第２フレームに変換し、変換した前記第２フレームを前記局側装置に送信するＰＯＮシステム。
第１フレーム：通信装置の電源断を通知するための制御フレーム
第２フレーム：宅側装置の電源断を通知するための制御フレーム
【請求項８】
局側装置と、
前記局側装置とＰＯＮ回線により接続されるプラガブル型の宅側装置と、
前記宅側装置を接続可能な１又は複数の物理ポートを有する通信装置と、を備えるＰＯＮシステムにおける電源断の通知方法であって、
前記宅側装置に電力供給する前記通信装置が、自装置の電源断又は電源スイッチのオフ操作を検出した場合に、下記の第１フレームを生成して前記宅側装置に送信するステップと、
前記通信装置から前記第１フレームを受信した前記宅側装置が、受信した前記第１フレームを下記の第２フレームに変換し、変換した前記第２フレームを前記局側装置に送信するステップと、を含む電源断の通知方法。
第１フレーム：通信装置の電源断を通知するための制御フレーム
第２フレーム：宅側装置の電源断を通知するための制御フレーム
【発明の詳細な説明】
【技術分野】
【０００１】
本発明は、宅側装置、通信装置、ＰＯＮシステム、及び電源断の通知方法に関する。
【背景技術】
【０００２】
特許文献１には、ＯＬＴ（Optical Line Terminal）と、ＯＬＴとＰＯＮ回線により接続されるＭＳＡ（Multi Source Agreement）規格に準拠する複数のプラガブル型ＯＮＵ（Optical Network Unit）と、プラガブル型ＯＮＵを挿入可能な物理ポートを複数有する集線装置と、を備えるＰＯＮ（Passive Optical Network）システムが記載されている。
【０００３】
集線装置は、ＯＮＵに電力供給するＤＣ／ＤＣコンバータと、ＤＣ／ＤＣコンバータの入力側に接続されたキャパシタと、電源断の検出信号を出力する検出部とを備え、ＯＮＵのＭＳＡモジュールには、検出信号を伝送するための専用ピンが割り当てられている。
ＯＮＵの演算処理部は、集線装置の検出部から電源断の検出信号が入力されると、自装置の電源断をＯＬＴに通知するための制御フレームを生成し、生成した制御フレームをＰＯＮ通信用の通信制御部に送信させる。
【先行技術文献】
【特許文献】
【０００４】
【特許文献１】特開２０１０−２５２１９２号公報
【発明の概要】
【発明が解決しようとする課題】
【０００５】
特許文献１のＰＯＮシステムでは、集線装置の電源断の検出信号をＭＳＡモジュールの専用ピンでＯＮＵに伝送するので、検出信号を受信可能な専用の演算処理部をＯＮＵに実装する必要があり、製造コストが高くなるという問題がある。
本開示は、従来の問題点に鑑み、専用のハードウェア部品を採用しなくても、プラガブル型の宅側装置の電源断を局側装置に通知できるようにすることを目的とする。
【課題を解決するための手段】
【０００６】
本開示の一態様に係る装置は、局側装置とともにＰＯＮシステムを構成するプラガブル型の宅側装置であって、光トランシーバと、前記光トランシーバに接続されるＰＯＮ処理部と、前記ＰＯＮ処理部に接続されるＰＨＹ処理部と、前記ＰＨＹ処理部に接続される端子モジュールであって、通信装置の物理ポートに接続すると当該通信装置の電源部から電力が供給される端子モジュールと、を備え、前記ＰＯＮ処理部は、前記ＰＨＹ処理部から入力される下記の第１フレームを下記の第２フレームに変換し、変換した前記第２フレームを前記光トランシーバに出力する。
【０００７】
第１フレーム：通信装置の電源断を通知するための制御フレーム
第２フレーム：宅側装置の電源断を通知するための制御フレーム
【０００８】
本開示の別態様に係る装置は、局側装置とともにＰＯＮシステムを構成するプラガブル型の宅側装置と通信する通信装置であって、前記宅側装置を接続可能な１又は複数の物理ポートと、接続済みの前記宅側装置を管理する管理制御部と、前記宅側装置及び前記管理制御部が送受信する通信フレームを中継する中継処理部と、自装置内の各部と前記宅側装置に電力を供給し、電源断後に所定時間だけ電力供給の継続が可能な電源部と、を備え、前記管理制御部は、自装置の電源断を検出した場合に、自装置の電源断を通知するための制御フレームを生成して前記宅側装置に送信する。
【０００９】
本開示の別態様に係る装置は、局側装置とともにＰＯＮシステムを構成するプラガブル型の宅側装置と通信する通信装置であって、前記宅側装置を接続可能な１又は複数の物理ポートと、接続済みの前記宅側装置を管理する管理制御部と、前記宅側装置及び前記管理制御部が送受信する通信フレームを中継する中継処理部と、自装置内の各部と前記宅側装置に電力を供給する電源部と、を備え、前記管理制御部は、自装置の電源スイッチのオフ操作を検出した場合に、自装置の電源断を通知するための制御フレームを生成して前記宅側装置に送信する。
【００１０】
本開示の一態様に係るシステムは、局側装置と、前記局側装置とＰＯＮ回線により接続されるプラガブル型の宅側装置と、前記宅側装置を接続可能な１又は複数の物理ポートを有する前記通信装置と、を備えるＰＯＮシステムであって、前記宅側装置に電力供給する通信装置が、自装置の電源断又は電源スイッチのオフ操作を検出した場合に、上記の第１フレームを生成して前記宅側装置に送信し、前記通信装置から前記第１フレームを受信した前記宅側装置が、受信した前記第１フレームを上記の第２フレームに変換し、変換した前記第２フレームを前記局側装置に送信する。
【００１１】
本開示の一態様に係る方法は、局側装置と、前記局側装置とＰＯＮ回線により接続されるプラガブル型の宅側装置と、前記宅側装置を接続可能な１又は複数の物理ポートを有する通信装置と、を備えるＰＯＮシステムにおける電源断の通知方法であって、前記宅側装置に電力供給する前記通信装置が、自装置の電源断又は電源スイッチのオフ操作を検出した場合に、上記の第１フレームを生成して前記宅側装置に送信するステップと、前記通信装置から前記第１フレームを受信した前記宅側装置が、受信した前記第１フレームを上記の第２フレームに変換し、変換した前記第２フレームを前記局側装置に送信するステップと、を含む。
【発明の効果】
【００１２】
本開示によれば、専用のハードウェア部品を採用しなくても、プラガブル型の宅側装置の電源断を局側装置に通知することができる。
【図面の簡単な説明】
【００１３】
【図１】図１は、光通信システムの全体構成の一例を示す概略図である。
【図２】図２は、ＯＬＴ、プラガブル型ＯＮＵ、及びＨＧＷの内部構成の一例を示すブロック図である。
【図３】図３Ａは、ＨＧＷによるノード情報の取得方法一例を示すシーケンス図である。図３Ｂは、ＨＧＷが保持するノード情報の管理テーブルの一例を示す図である。
【図４】図４は、ＨＧＷとプラガブル型ＯＮＵが実行する、電源断の通知方法の一例（通知方法１）を示すシーケンス図である。
【図５】図５は、ＨＧＷとプラガブル型ＯＮＵが実行する、電源断の通知方法の別例（通知方法２）を示すシーケンス図である。
【図６】図６は、ＨＧＷが保持するＯＮＵの判定テーブルの一例を示す図である。
【図７】図７は、ＯＬＴ、プラガブル型ＯＮＵ、及びＨＧＷの内部構成の別例を示すブロック図である。
【発明を実施するための形態】
【００１４】
＜本発明の実施形態の概要＞  
以下、本発明の実施形態の概要を列記して説明する。なお、以下に記載する実施形態の少なくとも一部を任意に組み合わせてもよい。
【００１５】
（１）  本実施形態の宅側装置は、局側装置とともにＰＯＮシステムを構成するプラガブル型の宅側装置であって、光トランシーバと、前記光トランシーバに接続されるＰＯＮ処理部と、前記ＰＯＮ処理部に接続されるＰＨＹ処理部と、前記ＰＨＹ処理部に接続される端子モジュールであって、通信装置の物理ポートに接続すると当該通信装置の電源部から電力が供給される端子モジュールと、を備え、前記ＰＯＮ処理部は、前記ＰＨＹ処理部から入力される下記の第１フレームを下記の第２フレームに変換し、変換した前記第２フレームを前記光トランシーバに出力する。
第１フレーム：通信装置の電源断を通知するための制御フレーム
第２フレーム：宅側装置の電源断を通知するための制御フレーム
【００１６】
本実施形態の宅側装置によれば、第１フレームがＰＨＹ処理部からＰＯＮ処理部に入力されるので、通常の通信フレームと同じ伝送経路で第１フレームをＰＯＮ処理部に伝送できる。また、ＰＯＮ処理部が、第１フレームを第２フレームに変換し、変換した第２フレームを光トランシーバに出力するので、第２フレームを局側装置に伝送できる。
従って、専用のハードウェア部品を採用しなくても、プラガブル型の宅側装置の電源断を局側装置に通知することができる。
【００１７】
（２）  本実施形態の宅側装置において、前記第１フレームが、前記通信装置と前記宅側装置の間で使用される独自の制御フレームであり、前記第２フレームが、拡張ＯＡＭフレームである場合には、前記ＰＯＮ処理部が実行するフレーム変換処理を、前記第１フレームの入力に応じて前記第２フレームを独自に生成する処理とすればよい。
この場合、ＰＯＮ処理部が生成する第２フレームが拡張ＯＡＭフレームよりなるので、宅側装置の電源断を局側装置に確実に通知することができる。
【００１８】
（３）  本実施形態の宅側装置において、前記第１及び第２フレームが、拡張ＯＡＭフレームである場合には、前記ＰＯＮ処理部が実行するフレーム変換処理を、前記第１メッセージの送信元アドレスを自装置のアドレス情報に書き換える処理とすればよい。
この場合、アドレス情報を書き換えるだけで第２フレームを生成できるので、第２フレームを独自に生成する場合に比べて、宅側装置の電源断を局側装置に迅速に通知することができる。
【００１９】
（４）  本実施形態の通信装置は、局側装置とともにＰＯＮシステムを構成するプラガブル型の宅側装置と通信する通信装置であって、前記宅側装置を接続可能な１又は複数の物理ポートと、接続済みの前記宅側装置を管理する管理制御部と、前宅側装置及び前記管理制御部が送受信する通信フレームを中継する中継処理部と、自装置内の各部と前記宅側装置に電力を供給し、電源断後に所定時間だけ電力供給の継続が可能な電源部と、を備え、前記管理制御部は、自装置の電源断を検出した場合に、自装置の電源断を通知するための制御フレームを生成して前記宅側装置に送信する。
【００２０】
本実施形態の通信装置によれば、管理制御部が、自装置の電源断（電源スイッチのオフ操作、ＡＣアダプタの取り外し、コンセントの取り外し、及び停電など）を検出した場合に、自装置の電源断を通知するための制御フレームを生成して宅側装置に送信するので、通常の通信フレームと同じ伝送経路で制御フレームを宅側装置に伝送できる。
このように、通信装置の電源断をプラがブル型の宅側装置に確実に通知することができるので、宅側装置は自身の電源断を局側装置に通知することができる。
【００２１】
（５）  本実施形態の通信装置は、局側装置とともにＰＯＮシステムを構成するプラガブル型の宅側装置と通信する通信装置であって、前記宅側装置を接続可能な１又は複数の物理ポートと、接続済みの前記宅側装置を管理する管理制御部と、前記宅側装置及び前記管理制御部が送受信する通信フレームを中継する中継処理部と、自装置内の各部と前記宅側装置に電力を供給する電源部と、を備え、前記管理制御部は、自装置の電源スイッチのオフ操作を検出した場合に、自装置の電源断を通知するための制御フレームを生成して前記宅側装置に送信する。
【００２２】
本実施形態の通信装置によれば、管理制御部が、自装置の電源スイッチのオフ操作を検出した場合に、自装置の電源断を通知するための制御フレームを生成して宅側装置に送信するので、通常の通信フレームと同じ伝送経路で制御フレームを宅側装置に伝送できる。
従って、専用のハードウェア部品を採用しなくても、通信装置の電源断をプラガブル型の宅側装置に通知することができる。
【００２３】
（６）  本実施形態の通信装置において、前記管理制御部は、前記制御フレームを前記宅側装置の電源断を通知するための制御フレームに変換可能な前記宅側装置に対してのみ、前記制御フレームを送信することが好ましい。
このようにすれば、上記のフレーム変換処理に非対応である宅側装置には制御フレームが送信されなくなるので、上記のフレーム変換処理に非対応である宅側装置に発生し得る誤作動を、未然に防止することができる。
【００２４】
（７）  本実施形態のＰＯＮシステムは、上述の（１）〜（３）の宅側装置と、上述の（４）〜（６）の通信装置とを備えるコンビネーションに係るシステムである。
従って、本実施形態のＰＯＮシステムは、上述の（１）〜（３）の宅側装置及び上述の（４）〜（６）の通信装置と同様の作用効果を奏する。
【００２５】
（８）  本実施形態の通知方法は、上述の（１）〜（３）の宅側装置と、上述の（４）〜（６）の通信装置とが協働して実行する通知方法である。
従って、本実施形態の通知方法は、上述の（１）〜（３）の宅側装置及び上述の（４）〜（６）の通信装置と同様の作用効果を奏する。
【００２６】
＜本発明の実施形態の詳細＞  
以下、図面を参照して、本発明の実施形態の詳細を説明する。なお、以下に記載する実施形態の少なくとも一部を任意に組み合わせてもよい。
【００２７】
〔光通信システムの全体構成〕
図１は、光通信システムの全体構成の一例を示す概略図である。
図１に示すように、本実施形態の光通信システムは、局側装置１、宅側装置２、及びホームゲートウェイ３などを備えるＰＯＮシステムよりなる。
【００２８】
局側装置１は、ＰＯＮ回線４の上位側に接続される光回線終端装置（ＯＬＴ）である。宅側装置２は、ＰＯＮ回線４の下位側に位置される光回線終端装置（ＯＮＵ）である。
以下、局側装置１を「ＯＬＴ１」と記載し、宅側装置２を「ＯＮＵ２」と記載し、ホームゲートウェイ３を「ＨＧＷ３」と記載する。
【００２９】
本実施形態のＰＯＮは、例えば、ＩＥＥＥ系の通信規格に従うＰＯＮ（例えば、ＧＥ−ＰＯＮ又は１０Ｇ−ＥＰＯＮなど）である。
本実施形態のＰＯＮは、ＩＴＵ−Ｔ系の通信規格に従うＰＯＮ（例えば、Ｇ−ＰＯＮ、ＸＧ−ＰＯＮ、ＸＧＳ−ＰＯＮ又はＮＧ−ＰＯＮ２など）であってもよい。
【００３０】
ＯＬＴ１は、例えば通信事業者の局舎などに設置される。ＯＬＴ１は、上位ネットワークに接続される。ＯＮＵ２とＨＧＷ３は、例えば通信サービスの加入者（ユーザ）の建物などに設置される。
ＯＮＵ２には、ＭＳＡ（Multi-Source Agreement）規格に準拠する比較的サイズが小さい「プラガブル型ＯＮＵ２Ａ」と、ＭＳＡ規格に準拠しない比較的サイズが大きい「据え置き型ＯＮＵ２Ｂ」とが含まれる。
【００３１】
ＭＳＡ規格は、例えば、「ＳＦＰ」（Small Form-factor Pluggable）、「ＳＦＰ＋」（Small Form-factor Pluggable Plus）、又は「ＸＦＰ」（10 Gigabit Small Form-factor Pluggable）などである。
以下において、「プラガブル型ＯＮＵ２Ａ」を「ＯＮＵ２Ａ」と略記し、「据え置き型ＯＮＵ２Ｂ」を「ＯＮＵ２Ｂ」と略記することがある。ＯＮＵ２ＡとＯＮＵ２Ｂとで共通する事項については、共通符号「２」を用いて「ＯＮＵ２」として説明する。
【００３２】
ＨＧＷ３は、プラガブル型ＯＮＵ２Ａを接続可能なスロットイン方式の少なくとも１つの物理ポートＰ１と、ＬＡＮケーブルなどの通信ケーブルを接続可能な少なくとも１つの物理ポートＰ２とを有する。
ＨＧＷ３は、１０／１００／１０００ＢＡＳＥ−Ｔなどに準拠するイーサネット（「イーサネット」は登録商標である。）通信機能、Ｌ２／Ｌ３レイヤのネットワーク機能、ＱｏＳ（Quality of Service）機能、及びＶＬＡＮ（Virtual LAN）機能などを有する。
【００３３】
ＨＧＷ３には、１又は複数のプラガブル型ＯＮＵ２Ａと、１又は複数のユーザ端末５とが接続される。据え置き型ＯＮＵ２Ａには、１又は複数のユーザ端末５が接続される。
ユーザ端末５は、例えばパーソナルコンピュータなどのイーサネット通信が可能なコンピュータ装置よりなる。ユーザ端末５は、中継ネットワーク（図示せず）を介してＨＧＷ３又はＯＮＵ２Ｂに接続してもよい。
【００３４】
ＰＯＮ回線４は、光スプリッタ６により光ファイバを分岐させたツリー構造の光回線よりなる。ＯＬＴ１は、ＰＯＮ回線４の幹線ファイバ７に接続され、ＯＮＵ２は、ＰＯＮ回線４の支線ファイバ８に接続される。
光スプリッタ６は、電力供給を必要とせずに、入力された光信号から受動的に光信号を分岐又は多重する。
【００３５】
ＯＬＴ１が送出する下り光信号は、光スプリッタ６において分岐し、支線ファイバ８を通って各ＯＮＵ２に伝送される。各ＯＮＵ２が送出する上り光信号は、光スプリッタ６において集束し、幹線ファイバ７を通ってＯＬＴ１に伝送される。
ＯＮＵ２が送出する上り光信号は光スプリッタ６で合流するので、同じ波長の上り光信号が合流後に衝突しないための多重化が必要である。このため、ＰＯＮでは、ＭＰＣＰ（Multi-Point Control Protocol）に則った時分割多重化が行われる。
【００３６】
具体的には、ＯＮＵ２は、自己のバッファ内のデータ長さ（送信要求量）を記した制御フレーム（レポート）をＯＬＴ１に送信する。
ＯＬＴ１は、配下のＯＮＵ２から収集したレポートに基づいて、各ＯＮＵ２に指示する上り方向の送信開始時刻及び送信時間長を演算する。ＯＬＴ１は、演算結果を含む制御フレーム（ゲート）を各ＯＮＵ２に送信する。
【００３７】
各ＯＮＵ２は、ゲートで指示された送信開始時刻に、ゲートで指示された送信時間長に相当するデータをＯＬＴ１に送信する。これと同時に、ＯＮＵ２は、次回分の送信要求量をレポートとともにＯＬＴ１に送信する。
また、ＯＬＴ１は、Ｐ２ＭＰ（Point To Multi Point）ディスカバリを実行し、ＰＯＮ回線４へのＯＮＵ２の接続を検出すると、検出したＯＮＵ２の登録処理を実行する。この際、ＯＮＵ２にＬＬＩＤ（Logical Link ID）が付与される。
【００３８】
ＰＯＮシステムはイーサネットに準拠するので、ＯＬＴ１は、イーサネット規格に従うＯＡＭ（Operations, Administration and Maintenance）機能を有する。
このため、ＯＬＴ１は、例えばＩＥＥＥ８０２．３−２００８のＣｌａｕｓｅ５７に規定された通常のＯＡＭフレーム、及び、通信事業者が保守管理の目的で独自に定義可能な拡張ＯＡＭフレームを、管理対象の通信機器であるＯＮＵ２との間で送受信する。
【００３９】
図１の光通信システムにおいて、据え置き型ＯＮＵ２ＢをＰＯＮ回線４に接続せず、プラガブル型ＯＮＵ２ＡのみをＯＬＴ１に収容することにしてもよい。
また、１つのＨＧＷ３に接続するプラガブル型ＯＮＵ２Ａの個数は、１つに限定されるものではなく、２つ以上であってもよい。
【００４０】
〔ＯＬＴの内部構成〕
図２は、ＯＬＴ１、プラガブル型ＯＮＵ２Ａ、及びＨＧＷ３の内部構成の一例を示すブロック図である。
図２に示すように、ＯＬＴ１は、光トランシーバ（ＴＲｘ）１１、ＰＯＮ処理部１２、Ｌ２スイッチ１３、及び管理制御部１４を備える。管理制御部１４は、ＣＰＵ（Central Processing Unit）及びメモリなどから構成される。
【００４１】
光トランシーバ１１は、光信号と電気信号を相互に変換するサブアセンブリ（例えば、Bidirectional Optical Sub-Assembly）を含む光デバイスよりなる。光トランシーバ１１は、ＰＯＮ回線４に光学的に接続され、ＰＯＮ処理部１２に電気的に接続される。
光トランシーバ１１は、ＰＯＮ回線４から入力される上り光信号を電気信号に変換してＰＯＮ処理部１２に入力し、ＰＯＮ処理部１２から入力される電気信号を下り光信号に変換してＰＯＮ回線４に送出する。
【００４２】
ＰＯＮ処理部１２は、ＰＯＮの通信規格に則った所定の通信処理などを実行する集積回路（例えばＯＬＴ用のＭＡＣチップ）よりなる。
ＰＯＮ処理部１２は、光トランシーバ１１から入力される上りフレームがレポートである場合は、ＯＮＵ２の上り方向の送信開始時刻及び送信時間長を演算する。ＰＯＮ処理部１２は、演算結果を含む所定のＬＬＩＤ（ＯＮＵ２）宛てのゲートを生成し、生成したゲートを光トランシーバ１１に出力する。
【００４３】
ＰＯＮ処理部１２は、Ｐ２ＭＰディスカバリ及びＯＮＵ２の登録処理や、ＯＮＵ２を管理対象とするＯＡＭフレームの送受信なども実行する。
ＰＯＮ処理部１２は、光トランシーバ１１から入力される上りフレームがユーザフレームである場合は、ユーザフレームをＬ２スイッチ１３に出力する。
ＰＯＮ処理部１２は、Ｌ２スイッチ１３から入力される下りフレームがユーザフレームである場合は、ユーザフレームを光トランシーバ１１に出力する。
【００４４】
Ｌ２スイッチ１３は、自身に入力されるＬ２レイヤのフレームの宛先に応じて出力ポートを決定する、ＦＰＧＡ（Field Programmable Gate Array）などの集積回路よりなる。
Ｌ２スイッチ１３は、上位ネットワークから入力される下りフレームがユーザフレームである場合は、下りフレームをＰＯＮ処理部１２に出力する。
Ｌ２スイッチ１３は、ＰＯＮ処理部１２から入力される上りフレームがユーザフレームである場合は、ユーザフレームを上位ネットワークに送出する。
【００４５】
管理制御部１４は、Ｌ２スイッチ１３及びＰＯＮ処理部１２に接続される。管理制御部１４は、通信事業者の管理用端末１５とも通信可能に接続される。管理用端末１５は、上位ネットワークを通じて管理制御部１４と通信してもよい。
管理制御部１４は、Ｌ２スイッチ１３のＱｏＳ（Quality of Service）パラメータ（例えば最大通信帯域）などを設定可能である。Ｌ２スイッチ１３は、設定されたパラメータ値となるように、ユーザフレームのデータ通信量を調整する。
【００４６】
管理用端末１５は、ＯＬＴ１及びＯＮＵ２の設定情報を管理制御部１４に送信することができる。管理制御部１４は、ＯＬＴ１の設定情報を受信すると、受信した設定情報に応じて自装置の各部のパラメータを調整する。
管理制御部１４は、ＯＮＵ２の設定情報を受信すると、受信した設定情報をＰＯＮ処理部１２に出力する。ＰＯＮ処理部１２は、ＯＮＵ２の設定情報を含む制御フレーム（例えば拡張ＯＡＭフレーム）を生成して光トランシーバ１１に出力する。
【００４７】
ＯＮＵ２の設定情報としては、例えば次の情報１〜４の少なくとも１つが含まれる。
情報１：ＯＮＵ２のＭＡＣチップの設定パラメータ
情報２：ＯＮＵ２と通信するユーザ端末５の認証情報（パスワードなど）
情報３：ＯＬＴ／ＯＮＵ間で使用する暗号鍵
情報４：ＯＮＵ２に含まれるキューのバッファサイズの設定情報
【００４８】
〔プラガブル型ＯＮＵの内部構成〕
図２に示すように、プラガブル型ＯＮＵ２Ａは、光トランシーバ（ＴＲｘ）２１、ＰＯＮ処理部２２、ＰＨＹ（物理層）処理部２３、及び端子モジュール（端子部）２４を備える。端子モジュール２４は、所定のＭＳＡ規格に準拠する所定の構造及び個数の端子を有するコネクタよりなる。
【００４９】
物理ポートＰ１には、ＨＧＷ３の電源部が電圧を印加する電源用端子が含まれ、端子モジュール２４は、物理ポートＰ１の電源用端子に接続される端子を有する。
従って、ＯＮＵ２ＡをＨＧＷ３の物理ポートＰ１に挿入して端子モジュール２４を正規に接続すると、ＨＧＷ３の電源部からＯＮＵ２Ａに電力が供給される。すなわち、ＯＮＵ２Ａ内の各部２１〜２３は、ＨＧＷ３の電源部から供給される電力により駆動される。
【００５０】
光トランシーバ２１は、光信号と電気信号を相互に変換するサブアセンブリ（例えば、Bidirectional Optical Sub-Assembly）を含む光デバイスよりなる。光トランシーバ２１は、ＰＯＮ回線４に光学的に接続され、ＰＯＮ処理部２２に電気的に接続される。
光トランシーバ２１は、ＰＯＮ回線４から入力される下り光信号を電気信号に変換してＰＯＮ処理部２２に入力し、ＰＯＮ処理部２２から入力される電気信号を上り光信号に変換してＰＯＮ回線４に送出する。
【００５１】
ＰＯＮ処理部２２は、ＰＯＮの通信規格に則った所定の通信処理などを実行する集積回路（例えばＯＮＵ用のＭＡＣチップ）よりなる。
ＰＯＮ処理部２２は、自己のバッファ内のデータ長を記したレポートを生成し、光トランシーバ２１に出力する。ＰＯＮ処理部２２は、光トランシーバ２１から入力される下りフレームがゲートである場合は、ゲートに記された指示内容に従って、バッファに蓄積中のデータを含むユーザフレームを生成して光トランシーバ２１に出力する。
【００５２】
ＰＯＮ処理部２２は、光トランシーバ２１から入力される下りフレームがユーザフレームである場合は、ユーザフレームをＰＨＹ処理部２３に出力する。
ＰＯＮ処理部２２は、ＰＨＹ処理部２３から入力される上りフレームがユーザフレームである場合は、ユーザフレームに含まれるデータを一旦バッファに蓄積する。
【００５３】
ＰＨＹ処理部２３は、物理層における信号変換及び通信処理などを実行する集積回路（例えばＰＨＹチップ）よりなる。
ＰＨＹ処理部２３は、ＨＧＷ３から入力される電気信号をレイヤ２の電気信号に変換し、変換した電気信号をＰＯＮ処理部２２に出力する。ＰＨＹ処理部２３は、ＰＯＮ処理部２２から入力される下りフレームをレイヤ１の電気信号に変換し、変換した電気信号をＨＧＷ３に送出する。
【００５４】
〔ＨＧＷの内部構成〕
図２に示すように、ＨＧＷ３は、上位側送受信部３１、フレーム処理部３２、下位側送受信部３３、及び管理制御部３４を備える。管理制御部３４は、ＣＰＵ及びメモリなどから構成される。
上位側送受信部３１は、スロットイン方式の物理ポートＰ１に接続され、下位側送受信部３３は、ＬＡＮケーブ用の物理ポートＰ２に接続される。図２では、各送受信部３１，３３が１つの場合が例示されているが、２つ以上であってもよい。
【００５５】
上位側送受信部３１は、物理層における信号変換及び通信処理などを実行する集積回路（例えばＰＨＹチップ）よりなる。
上位側送受信部３１は、ＯＮＵ２Ａから入力される電気信号をレイヤ２の電気信号に変換し、変換した電気信号をフレーム処理部３２に出力する。上位側送受信部３１は、フレーム処理部３２から入力される電気信号をレイヤ１の電気信号に変換し、変換した電気信号をＯＮＵ２Ａに送出する。
【００５６】
下位側送受信部３３は、１０／１００／１０００ＢＡＳＥ−Ｔなどに準拠するイーサネット物理層における信号変換及び通信処理などを実行する集積回路（例えばＰＨＹチップ）よりなる。
下位側送受信部３３は、ユーザ端末５から入力される電気信号をレイヤ２の電気信号に変換し、変換した電気信号をフレーム処理部３２に出力する。下位側送受信部３３は、フレーム処理部３２から入力される電気信号をレイヤ１の電気信号に変換し、変換した電気信号をユーザ端末５に送出する。
【００５７】
フレーム処理部３２は、自身に入力されるＬ２レイヤのフレームの種別や宛先に応じて出力ポートを決定する、ＦＰＧＡなどの集積回路よりなる。
管理制御部３４は、フレーム処理部３２に接続される。管理制御部３４は、ＯＬＴ１の管理制御部１４やＯＬＴ／ＯＮＵのＰＯＮ処理部１２，２２との間で、ＯＡＭなどを利用した管理通信が可能である。
【００５８】
上位側送受信部３１、フレーム処理部３２、及び下位側送受信部３３は、接続済みのＯＮＵ２Ａ、接続済みのユーザ端末５、及び管理制御部３４が送受信する通信フレームを中継する中継処理部として機能する。具体的には、次の通りである。
【００５９】
フレーム処理部３２は、上位側送受信部３１から入力される下りフレームがユーザフレームである場合は、ユーザフレームを下位側送受信部３３に出力する。
フレーム処理部３２は、上位側送受信部３１から入力される下りフレームが、ＯＡＭなどの制御フレームである場合は、制御フレームを管理制御部３４に出力する。
【００６０】
フレーム処理部３２は、下位側送受信部３３から入力される上りフレームがユーザフレームである場合は、ユーザフレームを上位側送受信部３１に出力する。
フレーム処理部３２は、下位側送受信部３３から入力される上りフレームが、ＯＡＭなどの制御フレームである場合は、制御フレームを管理制御部３４に出力する。
【００６１】
フレーム処理部３２は、管理制御部３４から入力される通信フレームが、ＯＮＵ２Ａ用のＯＡＭなどの制御フレームである場合は、入力された制御フレームを上位側送受信部３１に出力する。
フレーム処理部３２は、管理制御部３４から入力される通信フレームが、ユーザ端末５用のＯＡＭなどの制御フレームである場合は、入力された制御フレームを下位側送受信部３３に出力する。
【００６２】
フレーム処理部３２は、ユーザフレームに関しては、フレームの宛先に応じて適宜出力ポートを選択する。
管理制御部３４は、制御フレームをフレーム処理部３２に出力する際に、制御フレームの出力先をフレーム処理部３２に指定する。従って、フレーム処理部３２は、管理制御部３４から入力された制御フレームを管理制御部３４が指定する出力ポートに中継する。
【００６３】
〔ＨＧＷの電源部〕
図２に示すように、ＨＧＷ３は、自装置の電源部として、電力変換部３５、オフディレイ回路３６、及び電源断センサ３７を備える。
電力変換部３５は、例えばＤＣ／ＤＣコンバータよりなる。電力変換部３５には、ＡＣアダプタ３８から所定電圧の直流が入力される。電力変換部３５は、電源スイッチ３９によりオン／オフ操作される。
【００６４】
電力変換部３５は、ＡＣアダプタ３８から入力される直流電圧を降圧してオフディレイ回路３６に出力する。オフディレイ回路３６の出力側は、ＨＧＷ３内の各部３１〜３４とスロットイン方式の物理ポートＰ１の電源端子に接続される。
従って、オフディレイ回路３６は、自装置内の各部３１〜３４に出力電圧を印加するとともに、物理ポートＰ１に接続されたプラガブル型ＯＮＵ２Ａの端子モジュール２４に含まれる所定の端子にも出力電圧を印加する。
【００６５】
オフディレイ回路３６は、キャパシタなどの蓄電素子を有し、電力変換部３５からの入力が停止した場合に、入力停止から所定時間（例えば１００〜３００ｍｓ）が経過するまで直流電圧を出力し続ける。
従って、電源スイッチ３９のオフ操作、ＡＣアダプタ３８の取り外し、コンセントの取り外し、或いは停電などが原因で電力変換部３５に対する電力供給が遮断されても、ＨＧＷ３の各部３１〜３４とＯＮＵ２Ａは所定時間だけ動作を継続することができる。
【００６６】
電源断センサ３７は、例えば、電力変換部３５の出力電圧を検出し、検出信号を管理制御部３４に出力する電圧センサよりなる。管理制御部３４は、電力変換部３５の出力電圧が所定の閾値（例えば０．１Ｖ）未満となると、自装置の電源断と判定する。
このように、図２のＨＧＷ３では、管理制御部３４が検出可能な電源断の原因事象には、電源スイッチ３９のオフ操作だけでなく、ＡＣアダプタ３８の取り外し、コンセントの取り外し、及び停電なども含まれる。
【００６７】
管理制御部３４は、自装置の電源断を検出すると、自装置の電源断を通知するための制御フレームを生成し、生成した制御フレームを、自装置に接続中のＯＮＵ２Ａ及びユーザ端末５に送信することができる。
【００６８】
〔ノード情報の取得方法〕
図３Ａは、ＨＧＷ３によるノード情報の取得方法の一例を示すシーケンス図である。
図３に示すように、ＨＧＷ３の管理制御部３４は、物理ポートＰ１への通信機器の接続を検出すると（ステップＳ１１）、所定の制御通信を実行し（ステップＳ１２）、通信相手（ＯＮＵ２Ａ）から取得したノード情報をメモリに保持する（ステップＳ１３）。
ステップＳ１２の制御通信は、例えば、Ｉ２Ｃ（Inter-Integrated Circuit）通信又はインフォメーションＯＡＭフレームの送受信などにより実行される。
【００６９】
図３Ｂは、ＨＧＷ３が保持するノード情報の管理テーブル４０の一例を示す図である。
図３Ｂに示すように、管理テーブル４０は、例えば、「ポート番号」、「機器種別」、及び「ＭＡＣアドレス」、「プロダクトＩＤ」、及び「ベンダー」のカラムを含む表形式のデータよりなる。
「機器種別」、「ＭＡＣアドレス」、「プロダクトＩＤ」、及び「ベンダー」は、管理制御部３４が制御通信によって取得する通信機器のノード情報の一例である。
【００７０】
「ポート番号」には、接続を検出した物理ポートＰｉの番号値が記され、「機器種別」には、接続を検出した通信機器の種別が記され、「ＭＡＣアドレス」には、接続を検出した通信機器のＭＡＣアドレスのアドレス情報が記される。
「プロダクトＩＤ」には、接続を検出した通信機器の製品番号が記され、「ベンダー」には、接続を検出した通信機器の製造元が記される。
【００７１】
〔電源断の通知方法１〕
図４は、ＨＧＷ３とプラガブル型ＯＮＵ２Ａが実行する、電源断の通知方法の一例（通知方法１）を示すシーケンス図である。
図４の通知方法１は、ＨＧＷ／ＯＮＵ間で独自の制御フレームを送受信し、ＯＮＵ／ＯＬＴ間で拡張ＯＡＭフレームを送受信する方法である。具体的には、次の通りである。
【００７２】
図４に示すように、ＨＧＷ３の管理制御部３４は、自装置の電源断を検出すると（ステップＳ２１）、電源断をＯＮＵ２Ａに通知するための独自の制御フレームを生成し（ステップＳ２２）、ＯＮＵ２ＡのＰＯＮ処理部２２に送信する（ステップＳ２３）。
上記の制御フレームは、例えば、ＤＡ＝ＯＮＵ２Ａのアドレス情報、ＳＡ＝ＨＧＷ３のアドレス情報、Length/type=0xfffであり、データ領域に電源断を表すイベントＩＤを含むイーサネットフレームよりなる。
【００７３】
従って、上記の制御フレームは、ＯＮＵ２Ａ内において、端子モジュール２４からＰＨＹ処理部２３に入力され、ＰＨＹ処理部２３においてレイヤ２の電気信号に変換されてＰＯＮ処理部２２に入力される。
なお、管理制御部３４は、メモリに記憶された管理テーブル４０を参照して、制御フレームのＤＡに記すＯＮＵ２Ａのアドレス情報を決定する。
【００７４】
プラガブル型ＯＮＵ２ＡのＰＯＮ処理部２２は、上記の制御フレームを受信すると、電源断をＯＬＴ１に通知するための拡張ＯＡＭフレームを生成し（ステップＳ２４）、ＯＬＴ１の管理制御部１４に送信する（ステップＳ２５）。
上記の拡張ＯＡＭフレームは、例えば、ＤＡ＝スロープロトコル用のマルチキャストのアドレス情報、ＳＡ＝ＯＮＵ２Ａのアドレス情報、イベントＩＤ＝電源断（Dying Gasp）である拡張ＯＡＭフレームよりなる。
【００７５】
〔電源断の通知方法２〕
図５は、ＨＧＷ３とプラガブル型ＯＮＵ２Ａが実行する、電源断の通知方法の別例（通知方法２）を示すシーケンス図である。
図５の通知方法２は、ＨＧＷ／ＯＮＵ間で拡張ＯＡＭフレームを送受信し、ＯＮＵ／ＯＬＴ間でも拡張ＯＡＭフレームを送受信する方法である。具体的には、次の通りである。
【００７６】
図５に示すように、ＨＧＷ３の管理制御部３４は、自装置の電源断を検出すると（ステップＳ３１）、電源断をＯＮＵ２Ａに通知するための拡張ＯＡＭフレームを生成し（ステップＳ３２）、ＯＮＵ２ＡのＰＯＮ処理部２２に送信する（ステップＳ３３）。
上記の拡張ＯＡＭフレームは、例えば、ＤＡ＝スロープロトコル用のマルチキャストのアドレス情報、ＳＡ＝ＨＧＷのアドレス情報、イベントＩＤ＝電源断（Dying Gasp）である拡張ＯＡＭフレームよりなる。
【００７７】
従って、上記の拡張ＯＡＭフレームは、ＯＮＵ２Ａ内において、端子モジュール２４からＰＨＹ処理部２３に入力され、ＰＨＹ処理部２３においてレイヤ２の電気信号に変換されてＰＯＮ処理部２２に入力される。
【００７８】
プラガブル型ＯＮＵ２ＡのＰＯＮ処理部２２は、上記の拡張ＯＡＭフレームを受信すると、拡張ＯＡＭフレームに対して送信元の書き換え処理を実行し（ステップＳ３４）、処理後のＯＡＭフレームをＯＬＴ１の管理制御部１４に送信する（ステップＳ３５）。
上記の書き換え処理は、ＯＮＵ２ＡのＰＯＮ処理部２２が、ＨＧＷ３から受信した拡張ＯＡＭフレームの送信元アドレスを、自装置（ＯＮＵ２Ａ）のアドレス情報に書き換える処理である。
【００７９】
〔電源断の通知対象の限定方法〕
上述の通り、本実施形態のＰＯＮシステムでは、ＨＧＷ３が、下記の第１フレームをＯＮＵ２Ａに送信し、ＯＮＵ２Ａが、受信した第１フレームを下記の第２フレームに変換してＯＬＴ１に送信する。第１フレームは、独自の制御フレーム又は拡張ＯＡＭフレームであり、第２フレームは、拡張ＯＡＭフレームである。
第１フレーム：ＨＧＷ３の電源断を通知するための制御フレーム
第２フレーム：ＯＮＵ２Ａの電源断を通知するための制御フレーム
【００８０】
ここで、ＯＮＵ２Ａが上記のフレーム変換処理に非対応の通信機器である場合は、受信側で解釈不能な制御フレームがＯＮＵ２Ａに送信されることになり、ＯＮＵ２Ａが誤作動を起こす可能性がある。
そこで、上記のような誤作動を未然に防止するため、ＯＮＵ２Ａが上記のフレーム変換処理に対応する通信機器か否かを判定し、対応するＯＮＵ２Ａに対してのみ第１フレームを送信し、非対応のＯＮＵ２Ａには、第１フレームを送信しないことが好ましい。
【００８１】
図６は、ＨＧＷ３が保持するＯＮＵ２Ａの判定テーブル４１の一例を示す図である。判定テーブル４１は、管理制御部３４のメモリに予め登録される。
図６に示すように、判定テーブル４０は、例えば、「プロダクトＩＤ」、「ベンダー」、及び「対応状況」のカラムを含む表形式のデータよりなる。対応状況が「対応」のＯＮＵ２Ａは、フレーム変換処理が可能であることを意味し、対応状況が「非対応」のＯＮＵ２Ａはフレーム変換処理が不可能又は可否が不明であることを意味する。
【００８２】
この場合、ＨＧＷ３の管理制御部３４は、管理テーブル４０に含まれる「プロダクトＩＤ」及び「ベンダー」の識別情報をキーとして判定テーブル４１を探索し、自装置に接続中のＯＮＵ２Ａがフレーム変換処理に対応するか否かを判定すればよい。
図３Ｂの管理テーブル４０では、ＨＧＷ３に接続中のＯＮＵ２ＡのプロダクトＩＤがＡＡＡ１２３４であり、ベンダーがＡ社である。また、図６の判定テーブル４１では、プロダクトＩＤ＝ＡＡＡ１２３４でかつベンダー＝Ａ社の「対応状況」は「対応」である。
【００８３】
従って、ＨＧＷ３の管理制御部３４は、自装置に接続中であるＯＮＵ２Ａを、第１フレームから第２フレームへの変換処理が可能なＯＮＵ２であると判断する。
なお、管理制御部３４によるＯＮＵ２Ａに関するフレーム変換処理の対応可否は、プロダクトＩＤ及びベンダーの双方に基づいて判定するだけでなく、いずれか一方の情報のみに基づいて判定することにしてもよい。
【００８４】
〔ＨＧＷの内部構成の変形例〕
図７は、ＯＬＴ１、プラガブル型ＯＮＵ２Ａ、及びＨＧＷ３の内部構成の別例を示すブロック図である。図７の光通信システムは、ＯＬＴ１及びＯＮＵ２Ａの内部構成については図２の場合と同様であるが、ＨＧＷ３の内部構成が図２の場合と異なる。
具体的には、ＨＧＷ３の管理制御部（ＣＰＵ）３４は、電源スイッチ３９のオフ操作から所定時間が経過した後に電力の切断を実行可能であり、ＨＧＷ３の電源部は、オフディレイ回路３６及び電源断センサ３７を有していない。
【００８５】
電力変換部３５は、ＡＣアダプタ３８から入力される直流電圧を降圧して出力する。電力変換部３５の出力側は、ＨＧＷ３内の各部３１〜３４とスロットイン方式の物理ポートＰ１の電源端子に接続される。
従って、電力変換部３５は、自装置内の各部３１〜３４に出力電圧を印加するとともに、物理ポートＰ１に接続されたプラガブル型ＯＮＵ２Ａの端子モジュール２４に含まれる所定の端子にも出力電圧を印加する。
【００８６】
図７に示すように、電源スイッチ３９は、管理制御部３４及び電力変換部３５にそれぞれ接続される。電源スイッチ３９は、オン操作に基づくオン信号Ｓ１を電力変換部３５に出力し、オフ操作に基づくオフ信号Ｓ２を管理制御部３４に出力する。
電力変換部３５は、オン信号Ｓ１により起動し、電力変換部３５からの停止信号Ｓ３により動作を停止する。管理制御部３４は、オフ信号Ｓ２が入力されると、所定の終了処理を実行してから電力変換部３５に停止信号Ｓ３を出力する。
【００８７】
管理制御部３４は、上記の終了処理の一環として、電源スイッチ３９のオフ操作に基づく自装置の電源断を通知するための制御フレームを生成し、生成した制御フレームを、自装置に接続中のＯＮＵ２Ａ及びユーザ端末５に送信する。
このように、図７のＨＧＷ３では、管理制御部３４が検出可能な電源断の原因事象は、電源スイッチ３９のオフ操作に限られる。
【００８８】
従って、上記のＨＧＷ３を採用する図７の光通信システムの場合には、図４の電源断の通知方法１において、ステップＳ２１の「電源断を検出」を、「電源スイッチのオフ操作を検出」に読み替えればよい。
同様に、上記のＨＧＷ３を採用する図７の光通信システムの場合には、図５の電源断の通知方法２において、ステップＳ３１の「電源断を検出」を、「電源スイッチのオフ操作を検出」に読み替えればよい。
【００８９】
図７の光通信システムにおいて、ＡＣアダプタの取り外し、コンセントの取り外し、及び停電などによる電源断後に動作を所定時間だけ継続させる場合には、図２のオフディレイ回路３６及び電源断センサ３７をＨＧＷ３に設けることにすればよい。
この場合、管理制御部３４は、電源スイッチ３９のオフ操作以外の上記の電源断を電源断センサ３７により検出し、電源スイッチ３９のオフ操作を電源スイッチ３９からのオフ信号Ｓ２により検出する。
【００９０】
〔その他の変形例〕
上述の実施形態は、すべての点で例示であって制限的なものではない。本発明の権利範囲は、特許請求の範囲に記載された構成と均等の範囲内でのすべての変更が含まれる。
例えば、上述の実施形態では、ＯＮＵ２Ａを接続可能な通信装置がＨＧＷ３である場合を例示したが、当該通信装置は、マネジメントスイッチ又は汎用サーバなど、少なくとも１つのＯＮＵ２Ａ用の物理ポートを有する通信装置であればよい。
【００９１】
上述の実施形態において、ＯＮＵ２Ａを接続可能な通信装置が汎用サーバなどのユーザ端末５を接続しない通信装置である場合には、ユーザ端末５用の物理ポートＰ２は不要となる。
【符号の説明】
【００９２】
１  ＯＬＴ（局側装置）
２  ＯＮＵ（宅側装置）
２Ａ  プラガブル型ＯＮＵ（宅側装置）
２Ｂ  据え置き型ＯＮＵ（宅側装置）
３  ＨＧＷ（通信装置）
４  ＰＯＮ回線
５  ユーザ端末
６  光スプリッタ
７  幹線ファイバ
８  支線ファイバ
１１  光トランシーバ（ＴＲｘ）
１２  ＰＯＮ処理部
１３  Ｌ２スイッチ
１４  管理制御部
１５  管理用端末
２１  光トランシーバ（ＴＲｘ）
２２  ＰＯＮ処理部
２３  ＰＨＹ処理部
２４  端子モジュール
３１  上位側送受信部（中継処理部）
３２  フレーム処理部（中継処理部）
３３  下位側送受信部（中継処理部）
３４  管理制御部
３５  ＤＣ／ＤＣコンバータ（電源部）
３６  オフディレイ回路（電源部）
３７  電源断センサ（電源部）
３８  ＡＣアダプタ
３９  電源スイッチ
４０  管理テーブル
４１  判定テーブル
Ｐ１  物理ポート
Ｐ２  物理ポート
【図１】
2022002375.tif 000003
【図２】
2022002375.tif 000004
【図３】
2022002375.tif 000005
【図４】
2022002375.tif 000006
【図５】
2022002375.tif 000007
【図６】
2022002375.tif 000008
【図７】
2022002375.tif 000009